(57)【要約】【課題】小型化を図る上で有利な電子機器を提供する。【解決手段】電子機器１００は、外装を構成するハウジング１０と、メモリ１０２と、外部装置に接続可能に構成されたコネクタ５０と、メモリ１０２に対するデータの書き込みおよび／または読み出しを行うコントローラ１１４と、電池２を収容する細長形状の電池収容ケース３０とを備えている。電池収容ケース３０は、ハウジング１０内において該電池収容ケース３０の長手方向に移動可能に支持され、コネクタ５０は電池収容ケース３０の移動方向の端部に設けられている。コネクタ５０は電池収容ケース３０の長手方向の端部である前端に設けられ、コネクタ５０および電池収容ケース３０の前端箇所が開口１００２から出没できるように配置されている。【選択図】        図１３
2006351427.tif 000002
【特許請求の範囲】
【請求項１】
外装を構成するハウジングと、
前記ハウジング内に設けられデータの書き込みおよび／または読み出しが可能な記憶部と、
前記ハウジングに設けられ外部装置に接続可能なコネクタと、
前記ハウジング内に設けられ前記コネクタを介して外部装置との間でデータ通信を行うことにより前記記憶部に対するデータの書き込みおよび／または読み出しを行うコントローラと、
前記ハウジングに設けられ前記コントローラおよび前記記憶部に電源を供給する電池を収容する電池収容ケースと、
を備える電子機器であって、
前記コネクタは、前記電池収容ケースの端部に一体的に設けられている、
ことを特徴とする電子機器。
【請求項２】
前記電池収容ケースは、前記ハウジング内において移動可能に支持され、前記コネクタは前記電池収容ケースの移動方向における端部に設けられ、前記コネクタは前記電池収容ケースの移動により前記ハウジングに対して出没可能に配置されていることを特徴とする請求項１記載の電子機器。
【請求項３】
前記電池収容ケースは、前記ハウジング内において移動可能に支持され、前記コネクタは前記電池収容ケースの移動方向における端部に設けられ、前記コネクタは前記電池収容ケースの移動により前記ハウジングに対して出没可能に配置され、前記コネクタが前記ハウジングから突出した突出位置において、前記電池収容ケースに係脱可能に係合し前記コネクタの前記ハウジング内への没入を阻止するロック機構が設けられていることを特徴とする請求項１記載の電子機器。
【請求項４】
前記電池収容ケースは、前記ハウジング内において移動可能に支持され、前記コネクタは前記電池収容ケースの移動方向における端部に設けられ、前記コネクタは前記電池収容ケースの移動により前記ハウジングに対して出没可能に配置され、前記コネクタが前記ハウジングから突出した突出位置において、前記電池収容ケースに係脱可能に係合し前記コネクタの前記ハウジング内への没入を阻止するロック機構が設けられ、前記コネクタが前記ハウジング内に収納された状態で前記コネクタの開閉を行う蓋板が前記ハウジングに設けられていることを特徴とする請求項１記載の電子機器。
【請求項５】
前記電池収容ケースは細長形状を呈し、前記コネクタは、前記電池収容ケースの長手方向の端部にその軸心を前記長手方向に平行させて設けられていることを特徴とする請求項１記載の電子機器。
【請求項６】
前記電池収容ケースは、前記ハウジング内において移動可能に支持され、前記コネクタは前記電池収容ケースの移動方向における端部に設けられ、前記コネクタが設けられた前記電池収容ケースの端部寄りの箇所が前記コネクタと共に前記ハウジングに対して出没可能に配置されていることを特徴とする請求項１記載の電子機器。
【請求項７】
前記電池収容ケースは、前記ハウジング内において移動可能に支持され、前記コネクタは前記電池収容ケースの移動方向における端部に設けられ、前記コネクタが設けられた前記電池収容ケースの端部寄りの箇所が前記コネクタと共に前記ハウジングに対して出没可能に配置され、前記コネクタが前記ハウジング内に収納された状態で前記コネクタの開閉を行う蓋板が前記ハウジングに設けられていることを特徴とする請求項１記載の電子機器。
【請求項８】
前記電池収容ケースは細長形状を呈し、前記コネクタは、前記電池収容ケースの長手方向の端部に設けられ、前記電池収容ケースは、前記ハウジング内において該電池収容ケースの長手方向に移動可能に支持され、かつ、前記コネクタが設けられた前記電池収容ケースの長手方向の端部寄りの箇所が前記コネクタと共に前記ハウジングに対して出没可能に配置されていることを特徴とする請求項１記載の電子機器。
【請求項９】
前記電池収容ケースは細長形状を呈し、前記コネクタは、前記電池収容ケースの長手方向の端部に設けられ、前記電池収容ケースは、前記ハウジング内において該電池収容ケースの長手方向に移動可能に支持され、かつ、前記コネクタが設けられた前記電池収容ケースの長手方向の端部寄りの箇所が前記コネクタと共に前記ハウジングに対して出没可能に配置され、前記コネクタが前記ハウジング内に収納された状態で前記コネクタの開閉を行う蓋板が前記ハウジングに設けられていることを特徴とする請求項１記載の電子機器。
【請求項１０】
前記電池収容ケースは細長形状を呈し、前記電池収容ケースは、前記ハウジング内において該電池収容ケースの長手方向に移動可能に支持され、かつ、前記コネクタが設けられた前記電池収容ケースの長手方向の端部寄りの箇所が前記コネクタと共に前記ハウジングに対して出没可能に配置され、前記コネクタが設けられた前記電池収容ケースの長手方向の端部寄りの箇所を前記ハウジングから突出する方向に付勢する付勢手段が前記ハウジング内に設けられ、前記コネクタが前記ハウジング内に収納された状態で前記コネクタまたは前記電池収容ケースに係脱可能で前記コネクタまたは前記電池収容ケースに係合することで前記コネクタの前記ハウジング内への収納状態を保持するロック爪が前記ハウジングに設けられていることを特徴とする請求項１記載の電子機器。
【請求項１１】
前記電池収容ケースは細長形状を呈し、前記電池収容ケースは、前記ハウジング内において該電池収容ケースの長手方向に移動可能に支持され、かつ、前記コネクタが設けられた前記電池収容ケースの長手方向の端部寄りの箇所が前記コネクタと共に前記ハウジングに対して出没可能に配置され、前記コネクタが設けられた前記電池収容ケースの長手方向の端部寄りの箇所を前記ハウジングから突出する方向に付勢する付勢手段が前記ハウジング内に設けられ、前記コネクタが前記ハウジング内に収納された状態で前記コネクタまたは前記電池収容ケースに係脱可能で前記コネクタまたは前記電池収容ケースに係合することで前記コネクタの前記ハウジング内への収納状態を保持するロック爪が前記ハウジングに設けられ、前記コネクタおよび前記電池収納ケースが前記ハウジング内に収納された収納位置から、前記コネクタが設けられた前記電池収容ケースの長手方向の端部寄りの箇所が前記コネクタと共に前記ハウジングから突出した突出位置に至るまで、前記電池収容ケースの長手方向に延在する軸心の周りへの前記コネクタおよび前記電池収容ケースの回転を阻止する第１の回転阻止機構が設けられ、前記突出位置において前記電池収容ケースの長手方向に延在する軸心の周りに前記電池収容ケースを第１の角度回転させた第１の回転位置で、前記電池収容ケースに係脱可能に係合し前記電池収容ケースの前記ハウジング内への没入を阻止するロック機構が設けられていることを特徴とする請求項１記載の電子機器。
【請求項１２】
前記電池収容ケースが突出位置において第１の回転位置に回転された状態で、前記電池収容ケースに係脱可能に係合するクリック機構が設けられていることを特徴とする請求項１１記載の電子機器。
【請求項１３】
前記電池収容ケースが突出位置において第１の回転位置に回転された状態で、前記電池収容ケースに係脱可能に係合するクリック機構が設けられ、前記電池収容ケースが第１の回転位置から第２の角度回転された第２の回転位置で、前記電池収容ケースに係脱可能に係合するクリック機構が設けられると共に前記電池収容ケースに係止してそれ以上の回転を阻止する第２の回転阻止機構が設けられ、さらに第２の回転位置で前記電池収容ケースに係脱可能に係合し前記電池収容ケースの前記ハウジング内への没入を阻止するロック機構が設けられていることを特徴とする請求項１１記載の電子機器。
【請求項１４】
前記電池収容ケースはその長手方向に沿って分割された第１分割体と第２分割体とで構成され、前記第１分割体と前記第２分割体は、前記電池収容ケースの長手方向と直交する方向に合わせられることでその内部に電池収納空間が形成されると共に、前記電池収容ケースの長手方向に一体的に移動するように結合され、前記ハウジングに、前記収納位置から前記第１の回転位置まで前記第１分割体と前記第２分割体に係合しそれら前記第１分割体と前記第２分割体を合わせる方向に案内するガイド部が設けられ、前記第１の回転位置において前記第２分割体を前記電池収容ケースの長手方向と直交する方向で前記第１分割体から離れる方向へ移動させる移動機構が設けられ、前記コネクタは前記第１分割体の長手方向の端部に設けられ、前記第１分割体は、前記第１の回転位置において前記第２分割体が該第１分割体から離されることで電池の装脱を可能とする電池装脱位置に引き出し可能に設けられていることを特徴とする請求項１１記載の電子機器。
【請求項１５】
前記第１分割体は収容されるべき電池よりも大きい寸法の長さを有し、前記第２分割体は前記第１分割体よりも短い長さを有していることを特徴とする請求項１４記載の電子機器。
【請求項１６】
前記第１分割体は互いに対向する両側の側壁を有して前記第２分割体に対して開放状に形成され、前記第２分割体は互いに対向する両側の側壁を有して前記第１分割体に対して開放状に形成され、前記第１分割体の両側の側壁に形成された係合部と、前記第２分割体の両側の側壁に形成された係合部とが、前記電池収容ケースの長手方向と直交する方向に合わせられることでその内部に電池収納空間が形成されると共に、前記電池収容ケースの長手方向に一体的に移動するように結合され、前記第１分割体の係合部と前記第２分割体の係合部は、前記電池収容ケースの長手方向に対して傾斜し前記第１分割体が前記電池装脱位置に引き出される際に前記第２分割体を前記電池収容ケースの長手方向と直交する方向で前記第１分割体から離れる方向に移動させる傾斜部を含んで構成されていることを特徴とする請求項１４記載の電子機器。
【請求項１７】
前記電池収容ケースはその長手方向に沿って分割された第１分割体と第２分割体とで構成され、前記第１分割体と前記第２分割体は、前記電池収容ケースの長手方向と直交する方向に合わせられることでその内部に電池収納空間が形成されると共に、前記電池収容ケースの長手方向に一体的に移動するように結合され、前記ハウジングに、前記収納位置から前記第２の回転位置まで前記第１分割体と前記第２分割体に係合しそれら前記第１分割体と前記第２分割体を合わせる方向に案内するガイド部が設けられ、前記第２の回転位置において前記第２分割体を前記電池収容ケースの長手方向と直交する方向で前記第１分割体から離れる方向へ移動させる移動機構が設けられ、前記コネクタは前記第１分割体の長手方向の端部に設けられ、前記第１分割体は、前記第２の回転位置において前記第２分割体が該第１分割体から離されることで電池の装脱を可能とする電池装脱位置に引き出し可能に設けられていることを特徴とする請求項１３記載の電子機器。
【請求項１８】
前記第１分割体は収容されるべき電池よりも大きい寸法の長さを有し、前記第２分割体は前記第１分割体よりも短い長さを有していることを特徴とする請求項１７記載の電子機器。
【請求項１９】
前記第１分割体は互いに対向する両側の側壁を有して前記第２分割体に対して開放状に形成され、前記第２分割体は互いに対向する両側の側壁を有して前記第１分割体に対して開放状に形成され、前記第１分割体の両側の側壁に形成された係合部と、前記第２分割体の両側の側壁に形成された係合部とが、前記電池収容ケースの長手方向と直交する方向に合わせられることでその内部に電池収納空間が形成されると共に、前記電池収容ケースの長手方向に一体的に移動するように結合され、前記第１分割体の係合部と前記第２分割体の係合部は、前記電池収容ケースの長手方向に対して傾斜し前記第１分割体が前記電池装脱位置に引き出される際に前記第２分割体を前記電池収容ケースの長手方向と直交する方向で前記第１分割体から離れる方向に移動させる傾斜部を含んで構成されていることを特徴とする請求項１７記載の電子機器。
【発明の詳細な説明】
【技術分野】
【０００１】
本発明は電子機器に関する。
【背景技術】
【０００２】
メモリを有しそのメモリに対するデータの記録および／または再生を行う電子機器が提供されている。
このような電子機器の外装を構成するハウジングには、多くの場合、パーソナルコンピュータなどの外部装置（上位装置）に接続してデータの授受を行うためのコネクタ、例えば、ＵＳＢ（Ｕｎｉｖｅｒｓａｌ  Ｓｅｒｉａｌ  Ｂｕｓ）のインターフェース用のコネクタが設けられている。
このようなＵＳＢのコネクタが外部装置のコネクタに接続ケーブルを介さずに直接接続可能なコネクタであった場合には、ハウジングからコネクタが突出して設けられることになる。
したがって、電子機器が持ち運ばれて使用される場合には、ハウジングから突出したコネクタが邪魔になり携帯性を確保する上で不利がある。
そのため、軸状の部材の先端にコネクタを設け、その軸状の部材の基端をハウジングに揺動可能に設け、軸状の部材およびコネクタがハウジングから突出した使用位置と、ハウジング外面の収容凹部に収容される収納位置との間で揺動されるようにした電子機器が提案されている（特許文献１参照）。
【特許文献１】特開２００５−９１４０９号公報
【発明の開示】
【発明が解決しようとする課題】
【０００３】
しかしながら、このような従来の電子機器においては、軸状の部材が必要となるため電子機器全体の小型化を図る上では限界があった。
ところで、このように携帯して用いられる電子機器のハウジング内部には、電子機器を動作させるための電源供給用の電池を収容する電池収容ケースが設けられている。
本発明は、前記電池収容ケースに着目して案出されたものであり、その目的は小型化を図る上で有利な電子機器を提供することにある。
【課題を解決するための手段】
【０００４】
上述の目的を達成するため、本発明は、外装を構成するハウジングと、前記ハウジング内に設けられデータの書き込みおよび／または読み出しが可能な記憶部と、前記ハウジングに設けられ外部装置に接続可能なコネクタと、前記ハウジング内に設けられ前記コネクタを介して外部装置との間でデータ通信を行うことにより前記記憶部に対するデータの書き込みおよび／または読み出しを行うコントローラと、前記ハウジングに設けられ前記コントローラおよび前記記憶部に電源を供給する電池を収容する電池収容ケースとを備える電子機器であって、前記コネクタは、前記電池収容ケースの端部に一体的に設けられていることを特徴とする。
【発明の効果】
【０００５】
本発明によれば、コネクタを電池収容ケースの端部に一体的に設けたので、コネクタを電池収容ケースと別体に設ける場合に比べ、コネクタが占有するスペースを削減することができ、電子機器の小型化を図る上で有利となる。
【発明を実施するための最良の形態】
【０００６】
（第１の実施の形態）
次に本発明の第１の実施の形態について図面を参照して説明する。
図１は第１の実施の形態の電子機器１００を前方から見た分解斜視図である。
図２は第１の実施の形態の電子機器１００を後方から見た分解斜視図である。
図３（Ａ）、（Ｂ）は左側面部１２の斜視図である。
図４（Ａ）、（Ｂ）は右側面部１４の斜視図である。
図５、図６は上面部１６および表示部１０６の斜視図である。
図７（Ａ）、（Ｂ）はプリント基板１２２、１２４、フレキシブル基板１２６の斜視図である。
図８、図９は下部材１８の斜視図である。
図１０（Ａ）、（Ａ）は蓋板２４およびロック爪２０の斜視図である。
図１１、図１２は電池収容ケース３０およびコネクタ５０の斜視図である。
図１３は電子機器１００の断面図である。
図１４（Ａ）は蓋板２４を開放した状態における図１３のＡ矢視図、（Ｂ）は図１３のＢＢ線断面図である。
図１５は電子機器１００の制御系を示すブロック図である。
図１６乃至図１９はコネクタ５０および電池収容ケース３０をハウジング１０から引き出す際の動作説明図である。
図２０乃至図２４は電池収容ケース３０から電池２を取り出す際の動作説明図である。
【０００７】
本実施の形態において、電子機器１００は、デジタルデータを再生し音声信号として出力するメモリプレーヤである。
電子機器１００は、外装を構成するハウジング１０と、データの書き込みおよび／または読み出しが可能に構成されたメモリ１０２（図１５参照）と、外部装置に接続可能に構成されたコネクタ５０と、メモリ１０２に対するデータの書き込みおよび／または読み出しを行うコントローラ１１４（図１５参照）と、電池２を収容する細長形状の電池収容ケース３０とを備えている。なお、本実施の形態では、ハウジング１０に設けられたコネクタ５０が臨む方向を前方、その反対を後方とし、ハウジング１０の左右はハウジング１０を前方から見た状態でいうものとする。
【０００８】
図１、図２に示すように、ハウジング１０は、左側面部１２、右側面部１４、上面部１６との３つの分割体で構成されている。
図３（Ａ）、（Ｂ）に示すように、左側面部１２には複数の孔が設けられ、各孔に操作キー１２０２が配設されている。
図１、図２、図１４（Ｂ）に示すように、左側面部１２と右側面部１４とが合わされた状態で上部に前方に開放状の開口が形成され、この開口に枠体１６０２が取着されている。
図５、図６、図１３に示すように、この枠体１６０２の後部を除く部分に透明板１６０４が取着され、したがって、枠体１６０２の後部と透明板１６０４により上面部１６が構成されている。
透明板１６０４が取着された枠体１６０２部分には、開口１６０３が形成されている。
また、図５、図６、図１３に示すように、枠体１６０２の後端から下方に片部１６０６が延出され、片部１６０６には、後述するジャック１１０の周囲を覆うためのフランジ１６０８が形成されている。
図５、図６に示すように、枠体１６０２の両側で前端寄りの箇所にはプリント基板取り付け用の取り付け片１６１０がそれぞれ形成されている。
【０００９】
図５、図６、図１３に示すように、枠体１６０２の下部には、液晶表示装置で構成され表示部１０６と、表示部１０６を保持する保持板１６２０が取着され、表示部１０６は開口１６０３に臨むように設けられている。
また、保持板１６０６の下部には表示部１０６を駆動するためのプリント基板１２０が取着され、プリント基板１２０の上面にはスイッチ１２０Ａが配設され、スイッチ１２０Ａの操作キー１２０Ｂが枠体１６０２の孔を介して上方に露出している。
【００１０】
図１、図２、図１４（Ｂ）に示すように、ハウジング１０内で左側面部１２と右側面部１４の内面側には、それぞれプリント基板１２２、１２４が配設され、それらプリント基板１２２、１２４はねじ（不図示）によって取り付け片１６１０に取着されている。また、プリント基板１２２、１２４はフレキシブル基板１２６によって電気的に接続されている。
図７（Ａ）、（Ｂ）、図１４（Ｂ）に示すように、左側のプリント基板１２２が各操作キー１２０２に臨む箇所には、各操作キー１２０２で操作される複数のスイッチ１２１２が設けられている。
【００１１】
図１、図２に示すように、ハウジング１０内の下部には、下部材１８が取着されている。
図８、図９、図１３に示すように、下部材１８は、前部１８０２と、後部１８０４と、前部１８０２および後部１８０４を連結する連結部１８０６とを有している。
図８、図９に示すように、前部１８０２は、下方に凸状で前後方向に軸心を向けた半円筒状の底壁１８１０と、底壁１８１０の左右両側からそれぞれ起立された２つの側壁１８１１と有し、上方と前方と後方が開放されている。
図１４（Ａ）に示すように、底壁１８１０と２つの側壁１８１１が前方に臨む箇所には、円弧状の前端面１８２２が形成され、この前端面１８２２は、左側面部１２と右側面部１４とが合わされた状態で前部に形成される開口１００２内に位置している。
また、左面部１２と左側の側壁１８１１の間には左側ガイド溝１００４が上下方向に延在形成され、右面部１４と右側の側壁１８１１の間には右側ガイド溝１００６が上下方向に延在形成されている。
図９に示すように、底壁１８１０と２つの側壁１８１１が後方に臨む箇所には、前後方向と直交する平面上を延在する円弧状の後端面１８１２が形成されている。
図８、図９に示すように、底壁１８１０の内面で後端面１８１２寄りの箇所には、第１ガイド溝１８１４が底壁１８１０周方向に沿って約１８０度の範囲で形成されている。
第１ガイド溝１８１４の左端は、底壁１８１０と左側の側壁１８１１の接続部分の内面に形成された切り欠き１８１６を介して後端面１８１２側に開放されている。
底壁１８１０と右側の側壁１８１１の接続部分の内面上に第２ガイド溝１８１８が前後方向に沿って延在形成されている。
第１ガイド溝１８１４の右端と第２ガイド溝１８１８の後端は接続され、第２ガイド溝１８１８の前端はストッパ壁１８２０により閉塞されている。
したがって、切り欠き１８１６と第２ガイド溝１８１８は内周面１８１０の周方向において１８０度位相が異なる箇所に位置している。
また、各側壁１８１１の後端面１８１２寄りの箇所には軸受孔１８２０がそれぞれ形成されており、軸受孔１８２０は上下方向の寸法が前後方向の寸法よりも大きな寸法で形成された長円を呈している。
【００１２】
図８、図９に示すように、連結部１８０６は、その前端が前部１８０２の下部に結合され、後端が後部１８０４の下部に結合されている。
図８、図９、図１３に示すように、連結部１８０６は、前後方向に直線状に延在し断面矩形状のガイドレール１８３０を有し、ガイドレール１８３０の前端に切り欠き１８３２が形成されている。
図８、図９、図１３に示すように、後部１８０４は、断面矩形枠状を呈しその内側にジャック１１０が挿入口を後方に向けた状態で収容保持されている。
【００１３】
図１、図２、図１３に示すように、下部材１８の前部１８０２にロック爪２０が設けられている。
図１０（Ａ）、（Ｂ）に示すように、ロック爪２０は、上方に凸状で前後方向に軸心を向けた半円筒状の本体壁２００２と、本体壁２００２の前端から上後方に傾斜して起立された操作片２００４とを有している。
本体壁２００２の両側の後端寄り箇所に、それぞれ支軸２００６が側方に向けて突設されている。
図１０（Ａ）、（Ｂ）、図１４（Ａ）に示すように、本体壁２００２と操作片２００４とが接続する部分は、円弧状の前端面２００８として形成され、この前端面２００８の円弧は、下部材１８の前端面１８２２の円弧と連続するように形成されている。この前端面２００８は、図１４（Ａ）に示すように、開口１００２内に位置している。
図１３に示すように、本体壁２００２の内面（下面）で前後方向の中間箇所には係合凸部２０１０が突出して形成されている。
図１４（Ｂ）に示すように、ロック爪２０は、本体壁２００２が下部材１８の２つの側壁１８１１の間に配設された状態で各支軸２００６が各軸受孔１８２０にそれぞれ挿通されることでハウジング１０内に配設され、支軸２００６は軸受孔１８２０内で上下に移動できることからロック爪２０は上下に揺動可能かつ上下に移動可能に支持されている。
図１０（Ａ）、（Ｂ）、図１４（Ａ）に示すように、本体壁２００２の外面（上面）と枠体１６０２の前部下面との間にはコイルばねからなる付勢手段２２が設けられ、ロック爪２０は係合凸部２０１０が下方に向かう方向に常時付勢され、詳細には、支軸２０６が軸受孔１８２０の下端に係止しロック爪２０はその前部が下方に揺動する方向に常時付勢されている。
【００１４】
図１３、図１４（Ａ）に示すように、下部材１８の前端面１８２２とロック爪２０の前端面２００８の前方には、蓋板２４が設けられている。
図１３に示すように、蓋板２４は、開口１００２を覆うことができる大きさで形成されている。
図１０（Ａ）、（Ｂ）に示すように、蓋板２４の後面下端で左右方向の中心には下側突起２４０２が後方に突設され、後面上端寄りの左右両側には左側突起２４０４、右側突起２４０６がそれぞれ後方に突設されている。
図１３に示すように、下側突起２４０２の基端は、左側面部１２の下縁と右側面部１４の下縁が合わされた合わせ目に沿って前後方向に延在形成されたガイド溝１００３に挿通され、下側突起２４０２が前記合わせ目の内側に係止されている。
図１４（Ａ）に示すように、左側突起２４０４の基端は左側ガイド溝１００４に挿通され、左側突起２４０４が左側面部１２の裏面と前端面１３２２の反対側に位置する下部材１８の裏面に係止されている。
右側突起２４０６の基端は右側ガイド溝１００６に挿通され、右側突起２４０６が右側面部１４の裏面と前端面１３２２の反対側に位置する下部材１８の裏面に係止されている。
蓋板２４は、これら下側突起２４０２、左側突起２４０４、右側突起２４０６の基端が前記ガイド溝１００３、左側ガイド溝１００４、右側ガイド溝１００６に沿って移動し、かつ、下側突起２４０２、左側突起２４０４、右側突起２４０６がガイド溝１００３の裏面の壁部に係止されることで、開口１００２を覆う閉塞位置と、図１３、図１４（Ａ）に示すように開口１００２を開放する開放位置との間で移動可能に配設されている。
【００１５】
図１、図２に示すように、電池収容ケース３０は細長形状を呈しハウジング１０に設けられ電池２（図１３参照）を収容するものである。
図１６、図１７に示すように、電池収容ケース３０は、ハウジング１０内において該電池収容ケース３０の長手方向に移動可能に支持され、コネクタ５０は電池収容ケース３０の移動方向の端部に設けられている。
本実施の形態では、コネクタ５０は電池収容ケース３０の長手方向の端部である前端に設けられ、コネクタ５０および電池収容ケース３０の前端箇所が開口１００２から出没できるように配置されている。
【００１６】
詳細に説明すると、電池２は単４電池であり、細長形状を呈している。
図１１、図１２に示すように、電池収容ケース３０はその長手方向に沿って分割された第１分割体３２と、第２分割体３４とで構成され、第１分割体３２と第２分割体３４は、電池収容ケース３０の長手方向と直交する方向に合わせられることでその内部に電池収納空間が形成される。
第１分割体３２は、収容されるべき電池２よりも大きい寸法の長さを有している。
コネクタ５０は第１分割体３２の長手方向の端部である前端に設けられている。
第１分割体３２は、前後方向に軸心を向け前後方向に延在形成された半円筒状の本体壁３２０２と、本体壁３２０２の前端に取着された円板状の前壁３２０４と、本体壁部３２０２の後端から起立された円板状の後壁３２０６とを有している。
第１分割体３２は、第２分割体３４に対して開放状に形成され、本体壁３２０２上で前壁３２０４と後壁３２０６との間に電池２が収容されるように構成され、図１１、図１２に示すように、本体壁３２０２は、互いに対向する側壁３２０２Ａを有している。
図１１、図１２に示すように、前壁３２０４の内面には、電池２の一方の電極（プラス極）が接触される導電性を有する材料で形成された板状の接片３２１０が配設されている。
図１１、図１２に示すように、後壁３２０６の内面には、電池２の他方の電極（マイナス極）が接触される導電性を有する材料で形成されたコイルばね３２１２が配設されている。
【００１７】
図１１、図１２に示すように、本体壁３２０２の外面には、第１係合凸部３２２０と、第２係合凸部３２２２と、第１係合凹部３２２４とが設けられている。
第１係合凸部３２２０は本体壁３２０２の長手方向の中間箇所に設けられ、第２係合凸部３２２２は本体壁３２０２の後壁３２０６寄りの箇所に設けられ、第１係合凹部３２２４は本体壁３２０２の長手方向の中間箇所に設けられている。
第１係合凸部３２２０と第２係合凸部３２２２は本体壁３２０２の外面の周方向において１８０度位相が異なる箇所に位置している。
また、第１係合凹部３２２４と第１係合凸部３２２０は本体壁３２０２の外面の周方向において１８０度位相が異なる箇所に位置しており、第１係合凹部３２２４と第２係合凸部３２２２は本体壁３２０２の外面の周方向において位相が同じ箇所に位置している。
第１係合凸部３２２０は、下部材１８の後部１８０４の後端面１８１２に当接可能に、かつ、切り欠き１８１６を通り、第１ガイド溝１８１４および第２ガイド溝１８１８に沿って案内されるように形成されている。
第２係合凸部３２２０は、切り欠き１８１６を通って、第１ガイド溝１８１４が切り欠き１８１６に臨む縁部に当接されるように形成されている。
【００１８】
また、図１１、図１２に示すように、第１分割体３２の左右両側の側壁３２０２Ａの前部には、切り欠き状の係合部３２３０が形成されている。
図１９に示すように、係合部３２３０は、左右両側の前部寄りの箇所で前後方向と平行に延在する直線部３２３２と、直線部３２３２の前端から前壁３２０４と平行に延在する前縁部３２３４と、直線部３２３２の後端から後方に傾斜して延在する傾斜部３２３６と、傾斜部３２３６の後端から前縁部３２３４と平行して延在する後縁部３２３７とで構成され、後縁部３２３７と後壁３２０６の間は前後方向に平行に延在する直線部３２３８で接続されている。
図１９に示すように、本体壁３２０２の前部の左右両側に係合部３２３０が形成されることで、本体壁３２０２は、電池２の全長のうち前方寄りの約１／３の部分については電池２の径方向の約１／３を収容し、電池２の径方向の残りの約２／３を露出した状態で収容する。
また、係合部３２３０が形成されていない残りの本体壁３２０２部分によって、本体壁３２０２は、電池２の全長のうち残りの約２／３の部分については電池２の径方向の約２／３を収容した状態で収容する。
【００１９】
図１１、図１２、図１９に示すように、第２分割体３４は、第１分割体３２よりも短い長さで形成されている。
第２分割体３４は、前後方向に軸心を向け前後方向に延在形成された半円筒状の本体壁３４０２を有し、第１分割体３２に対して開放状に形成され、図１１、図１２に示すように、本体壁３４０２は、互いに対向する側壁３４０２Ａを有している。
本体壁３４０２の外面の後端寄り箇所には、本体壁３４０２の周方向に沿って外方に突設され、下部材１８の後端面１８１２に当接可能な係止壁３４０４が形成されている。
係止壁３４０４の周方向の中央には、下部材１８のガイドレール１８３０に係合されて案内される案内溝３４０６が形成されている。
本体壁３４０２の外面には第２係合凹部３４０８（図１３参照）が形成されている。
第２係合凹部３４０８は、第２分割体３４が第１分割体３２に合わされた状態で、第２分割体３４の本体壁３４０２の周方向において第１分割体３２の第１係合凹部３２２４と９０度位相が異なる箇所に設けられている。
また、図１１、図１２に示すように、第２分割体３４の両側の側壁３４０２Ａには、凸片状の係合部３４２０が形成されている。
図１９に示すように、係合部３４２０は、第１分割体３２の直線部３２３２、前縁部３２３４、傾斜部３２３６、後縁部３２３７、直線部３２３８のそれぞれに合致する形状の直線部３４１０、前縁部３４１２、傾斜部３４１４、後縁部３４１５、直線部３４１６で形成されている。
【００２０】
なお、電池収容ケース３０は、その電池収容ケース３０の長手方向と直交する方向に合わせられることで、第１分割体３２の係合部３２３０と第２分割体３４の係合部３４２０が係合し、この係合により、第１分割体３２と第２分割体３４は、ハウジング１０の内部において一体的に前後方向および回転方向に移動可能に結合される。
詳細に説明すると、図１９に示すように、第１分割体３２の前縁部３２３４が第２分割体３４の前縁部３４１２に係合することで第１分割体３２と第２分割体３４は一体的に後方に移動可能となり、第１分割体３２の後縁部３２３７が第２分割体３４の後縁部３４１５に係合することで第１分割体３２と第２分割体３４は一体的に前方に移動可能となる。
また、第１分割体３２の直線部３２３２が、第２分割体３４の直線部３４１０に係合することで第１分割体３２と第２分割体３４は電池収容ケース３０の長手方向に延在する軸心の周りに一体的に回転可能となる。
【００２１】
また、図１１、図１２に示すように、各直線部３４１０の内側箇所には、電池保持片３４１８が本体壁３４０２の内周面に沿ってそれぞれ突出形成されている。
電池保持片３４１８は、図１４（Ｂ）に示すように、第２分割体３４が第１分割体３２に合わされた状態で、第１分割体３２の本体壁部３２０２の両側の内面側に位置するように構成されている。
図１９に示すように、第２分割体３４は、電池２の全長のうち前方寄りの約２／３の部分を収容し、残りの約１／３を露出した状態で収容する。
具体的には、電池保持片３４１８は、直線部３４１０の内側に位置して、本体壁３４０２の前半部と共に電池２の全長のうち前方寄りの約１／３の部分について電池２の径方向の約２／３を収容している。
本体壁３４０２の後半部は、電池２の全長のうち中間の約１／３の部分について電池２の径方向の約１／３を収容している。
したがって、電池２の全長のうち残りの約１／３の部分は本体壁３４０２の後端から露出している。
【００２２】
図５、図６、図１３に示すように、後壁３２０６の外面と、その外面がハウジング１０後部に臨む箇所（枠体１６０２の後端から下方に片部１６０６）との間には付勢手段３６が設けられ、電池収容ケース３０を後述の中間突出位置まで突出させるように前方に付勢している。
【００２３】
図１１、図１２、図１６に示すように、コネクタ５０は、支持体５００２と、４つの信号用接片５００４と、１つのグランド用接片５００６と、カバー５００８とを備え、電池収容ケース３０の長手方向の端部にその軸心を前記長手方向に平行させて設けられている。
支持体５００２は、起立壁５０１０と、接片支持壁５０１２と、接片押さえ壁５０１４とを有し、起立壁５０１０と接片支持壁５０１２とは第１分割体３２に一体に形成され、接片押さえ壁５０１４は第１分割体３２とは別体である。
起立壁５０１０は、第１分割体３２の前壁３２０４の前面の半部を覆うように本体壁３２０２の前端から起立され半円板状を呈している。
接片支持板５０１２は、起立壁５０１０の先端から起立壁５０１０の面と直交する方向で前方に延出され扁平な矩形板状を呈している。
接片支持板５０１２の厚さ方向の一方の面には、前後方向に延在しかつ前後方向と直交する方向に間隔をおいて４つの接片埋め込み用の溝（不図示）が形成されている。
接片押さえ壁５０１４は、前壁３２０４の前面で接片支持板５０１２の前記接片埋め込み用の溝に臨む箇所に設けられている。
【００２４】
図１１、図１２、図１６に示すように、４つの信号用接片５００４は、前記各接片埋め込み用の溝に収容保持され、それら信号用接片５００４の基端部は、接片押さえ壁５０１４により前記４つの接片埋め込み用の溝との間で挟み込まれている。なお、図１１、図１２においては図面を簡略化するために２つの信号用接片５００４のみが描かれている。
図１１、図１２に示すように、４つの信号用接片５００４の基端部には４つのリード線５２の一端がそれぞれ電気的に接続されている。
１つのグランド用接片５００６は、接片押さえ壁５０１４が４つの信号用接片５００４に臨む箇所と反対側の箇所に取着され、１つのリード線５２の一端が電気的に接続されている。
それらを合わせた５つのリード線５２は、図１１、図１２に示すように、前壁３２０４の前面と起立壁５０１０の後面の隙間から前壁３２０４の外周を介して後方に導かれ、図１４（Ｂ）に示すように本体壁３２０２の内面上を沿って配設され、図１１、図１２、図１３に示すように、本体壁３２０２の後端に形成されたリード線挿通用の開口３２４０を介して外方に導き出され、電池収容ケース３０の出没に対応できるように湾曲部５２０２を介して方向変換されており、５つのリード線５２の他端はコントローラ１１４（図１５参照）に電気的に接続されている。
【００２５】
図１１、図１２、図１６に示すように、カバー５００８は導電性を有する金属板で形成され、断面矩形枠状を呈しその内側に接片支持壁５０１２および接片押さえ壁５０１４を収容した状態で前壁３２０４に取着されている。
カバー５００８は前壁３２０４に取着された状態でグランド用接片５００６に接続され、したがって、カバー５００８はグランド用接片５００６と共にグランドレベルに維持されるように構成されている。
また、カバー５００８は前壁３２０４に取着された状態で、４つの信号用接片５００４と、それら４つの信号用接片５００４に臨むカバー５００８の内面との間に空間が形成され、コネクタ５０を外部装置のコネクタに接続した場合に、その外部装置のコネクタの４つの接片が前記空間を介して４つの信号用接片５００４に接続されるように構成されている。
【００２６】
次に、電子機器１００の制御系の構成について図１５を参照して説明する。
電子機器１００は、上述したコネクタ５０に加えて、メモリ１０２（特許請求の範囲の記憶部に相当）、操作部１０４、表示部１０６、信号処理部１０８、ジャック１１０、電源回路１１２、コントローラ１１４などを備えており、これら各部は、前述したプリント基板１２０、１２２、１２４、フレキシブル基板１２６に実装された電子部品によって構成されている。
メモリ１０２は、音声信号を記録したデータの書き込みおよび／または読み出しが可能に構成されており、本実施の形態では、フラッシュメモリで構成されている。
操作部１０４は、前述したスイッチ１２０Ａ、１２１２などで構成され、再生すべきデータの選択、音声の再生の開始や停止、早送り、早戻し、音量調整、音質調整などをコントローラ１１４に指示するための操作信号をコントローラ１１４に供給するものである。
表示部１０６は、再生するデータに関わる情報（データに付された名称や番号）、あるいは、操作部１０４に関わる操作情報（音量表示、音質表示）などを表示するものである。
信号処理部１０８は、コントローラ１１４によりメモリ１０２から読み出されたデジタルデータをアナログ信号としての音声信号に変換し増幅するなどの信号処理を行うものである。
ジャック１１０は、ヘッドホンやスピーカなどのプラグが挿脱可能に接続されるものであり、信号処理部１０８から供給される音声信号をヘッドホンやスピーカに供給するものである。
コネクタ５０は、パーソナルコンピュータなどの外部装置（上位装置）のコネクタ５０に接続可能に設けられたものであり、本実施の形態では、ＵＳＢ（Ｕｎｉｖｅｒｓａｌ  Ｓｅｒｉａｌ  Ｂｕｓ）のインターフェースに従って前記外部装置との間で双方向のデータ通信を行うコネクタ（シリーズＡのコネクタ）として構成されている。
コントローラ１１４は、操作部１０４から入力される操作信号に基づいて、メモリ１０２に対するデータの書き込みおよび／または読み出しの制御、表示部１０６の表示制御、信号処理部１０８の制御、コネクタ５０を介して接続された外部装置との間でのデータ通信の制御などを行う。
電源回路１１２は、電池２から供給される電力を所定の電圧、電流に調整して上述したメモリ１０２、操作部１０４、表示部１０６、信号処理部１０８、コントローラ１１４に供給するものである。
【００２７】
次に、電子機器１００の動作について説明する。
まず、電池収容ケース３０およびコネクタ５０をハウジング１０から突出させる場合の動作について図１６乃至図１９を参照して説明する。
電池２が収容された電池収容ケース３０が収納位置に位置している状態について説明する。
図１６に示すように、収納位置において、コネクタ５０および電池収容ケース３０は、ハウジング１０内に没入し、蓋板２４により開口１００２が閉塞されている。
電池収容ケース３０は、下部材１８の底壁１８１０と２つの側壁１８１１によって第２分割体３４の本体壁３４０２、両側壁３４０２Ａ、第１分割体３２の両側壁３２０２Ａが保持され、かつ、ロック爪２０の本体壁２００２の後部下面が第１分割体３２の本体壁３２０２を押圧することによって、第１分割体３２の係合部３２３０と第２分割体３４の係合部３４２０の係合が保持されている。したがって、収納位置においては、第１分割体３２と第２分割体３４を合わせる方向に案内するガイド部が、下部材１８の底壁１８１０と、２つの側壁１８１１と、ロック爪２０の本体壁２００２の後部下面とによって構成されている。
また、第２分割体３４の案内溝３４０６が下部材１８のガイドレール１８３０に係止した状態で、第２分割体３４の係止壁３４０４が下部材１８の後端面１８１２の後方に位置している。したがって、電池収容ケース３０がこの収納位置に位置した状態では、電池収容ケース３０の回転（電池収容ケース３０の長手方向に延在する軸心の周りの回転）が不能となっている。
電池収容ケース３０は、付勢手段３６によって前方に付勢されているが、ロック爪２０の係合凸部２０１０が起立壁５０１０の前面に係合することで、収納位置に保持されている。
【００２８】
次に、蓋板２４を下方に移動して開口１００２を開放する。
そして、ロック爪２０の操作片２００４に指を掛けて付勢手段２２の付勢力に抗してロック爪２０を上方に揺動させ、係止凸部２０１０と起立壁５０１０の前面との係合を解除すると、付勢手段３６の付勢力により電池収容ケース３０が前方に移動し、付勢手段３６の自然長分、コネクタ５０と電池収容ケース３０の前部が開口１００２から前方に突出した中間突出位置となる。
電池収容ケース３０がこの中間突出位置に位置した状態でも、第２分割体３４の係止壁３４０４の案内溝３４０６が下部材１８のガイドレール１８３０に係止されることで電池収容ケース３０の回転（電池収容ケース３０の長手方向に延在する軸心の周りの回転）が不能となっている。
また、この中間突出位置において、電池収容ケース３０は、下部材１８の底壁１８１０と２つの側壁１８１１によって第２分割体３４の本体壁３４０２、両側壁３４０２Ａ、第１分割体３２の両側壁３２０２Ａが保持され、かつ、ロック爪２０の係合凸部２０１０が第１分割体３２の本体壁３２０２を押圧することによって、第１分割体３２の係合部３２３０と第２分割体３４の係合部３４２０の係合が保持されている。
したがって、収納位置から中間突出位置においては、第１分割体３２と第２分割体３４を合わせる方向に案内するガイド部が、下部材１８の底壁１８１０と、２つの側壁１８１１と、ロック爪２０の係合凸部２０１０とによって構成されている。
【００２９】
そして、図１７に示すように、コネクタ５０および電池収容ケース３０の前部を把持して前方に引き出すと、第２分割体３４の係止壁３４０４が下部材１８の後端面１８１２に当接し、それ以上の前方への移動が阻止される突出位置となる。
この際、係止壁３４０４の案内溝３４０６は、図９に示すように、ガイドレール１８３０から外れて切り欠き１８３２上に位置しており、コネクタ５０および電池収容ケース３０は、電池収容ケース３０の長手方向に延在する軸心の周りに回転可能な状態となる。
したがって、本実施の形態では、コネクタ５０および電池収納ケース３０がハウジング１０内に収納された収納位置から、コネクタ５０が設けられた電池収容ケース３０の長手方向の端部寄りの箇所がコネクタ５０と共にハウジング１０から突出した突出位置に至るまで、電池収容ケース３０の長手方向に延在する軸心の周りへのコネクタ５０および電池収容ケース３０の回転を阻止する第１の回転阻止機構が、ガイドレール１８３０と案内溝３４０６とで構成されている。
また、第１分割体３２の第１係合部３２２０は、図８、図９に示すように、下部材１８の切り欠き１８１６を通って第１ガイド溝１８１４に臨む箇所に位置している。
この突出位置では、電池収容ケース３０に対して後方に向かう力を加えると、電池ケース３０は前記中間突出位置を経て前記収納位置に向けて移動可能な状態となっている。したがって、コネクタ５０の外部装置のコネクタに対する挿脱作業を行うことがまだできない。
なお、中間突出位置から突出位置においては、第１分割体３２と第２分割体３４を合わせる方向に案内するガイド部が、下部材１８の底壁１８１０と、２つの側壁１８１１と、ロック爪２０の係合凸部２０１０とによって構成されている。
【００３０】
次に、図１８に示すように、前方から見てコネクタ５０および電池収容ケース３０を反時計方向に回転する。
すると、第２分割体３４の係止壁３４０４が下部材１８の後端面１８１２に当接した状態を保ちつつ、係止壁３４０４の案内溝３４０６は、ガイドレール１８３０の切り欠き１８３２上から外れ、第１分割体３２の第１係合部３２２０は、切り欠き１８１６から第１ガイド溝１８１４内に進入した後第１ガイド溝１８１４に沿って回転する。
したがって、電池収容ケース３０は前後方向の位置を保ちつつ回転される。
やがて、電池収容ケース３０が前記突出位置から第１の角度である９０度回転されると、第１分割体３２の第１係合凹部３２２４にロック爪２０の係止凸部２０１０が係合され、これにより、クリック感が得られると共に、コネクタ５０および電池収容ケース３０の回転位置が係止保持された第１の回転位置となる。
すなわち、本実施の形態では、電池収容ケース３０が突出位置から第１の回転位置に回転された状態で、電池収容ケース３０に係脱可能に係合するクリック機構が、第１分割体３２の第１係合凹部３２２４に係脱するロック爪２０の係止凸部２０１０によって構成されている。
【００３１】
また、第１の回転位置において、電池収容ケース３０は、下部材１８の底壁１８１０と２つの側壁１８１１によって第２分割体３４の本体壁３４０２と第１分割体３２の本体壁３２０２が保持され、かつ、ロック爪２０の本体壁２００２の下面が第１分割体３２の一方の側壁３２０２Ａと第２分割体３４の一方の側壁３４０２Ａを押圧することによって、第１分割体３２の係合部３２３０と第２分割体３４の係合部３４２０の係合が保持されており、第１分割体３２と第２分割体３４は一体的に回転可能となっている。
したがって、突出位置から第１の回転位置においては、第１分割体３２と第２分割体３４を合わせる方向に案内するガイド部が、下部材１８の底壁１８１０と、２つの側壁１８１１と、ロック爪２０の本体壁２００２の下面とによって構成されている。
この第１の回転位置では、第１分割体３２の係合部３２３０と第２分割体３４の係合部３４２０が係合した状態で、第２分割体３４の係止壁３４０４が下部材１８の後端面１８１２に当接し、かつ、第１分割体３２の第１係合部３２２０が第１ガイド溝１８１４の後側の縁部１８１４Ａ（図８、図９参照）に当接するため、電池収容ケース３０はハウジング１０に対して前後方向に固定された状態を保つ。
すなわち、本実施の形態では、第１の回転位置で電池収容ケース３０に係脱可能に係合することで電池収容ケース３０のハウジング１０内への没入を阻止するロック機構が、第１分割体３２の第１係合部３２２０と下部材１８の第１ガイド溝１８１４の後側の縁部１８１４Ａによって構成されている。
したがって、第１の回転位置においては、電池収容ケース３０に対して前方あるいは後方に向かう力を加えても、電池収容ケース３０およびコネクタ５０がハウジング１０に前後方向に移動不能に保持されるため、コネクタ５０の外部装置のコネクタに対する挿脱作業を確実に行うことができる。
【００３２】
次に、図１９に示すように、前方から見てコネクタ５０および電池収容ケース３０をさらに反時計方向に回転する。
すると、第１分割体３２の第１係合凹部３２２４へのロック爪２０の係止凸部２０１０の係合が解除され、第２分割体３４の係止壁３４０４が下部材１８の後端面１８１２に当接した状態を保ちつつ、第１分割体３２の第１係合部３２２０は、第１ガイド溝１８１４内で第１ガイド溝１８１４に沿って第２ガイド溝１８１８に近接する方向に回転される。
したがって、電池収容ケース３０は前後方向の位置を保ちつつ回転される。
やがて、電池収容ケース３０が前記第１の回転位置から第２の角度である９０度回転されると（前記収納位置から１８０度回転されると）、第１分割体３２の第１係合部３２２０は、第１ガイド溝１８１４内で第２ガイド溝１８１８に臨む箇所に至り、第２分割体３４の第２係合凹部３４０８にロック爪２０の係止凸部２０１０が係合され、これにより、クリック感が得られると共に、コネクタ５０および電池収容ケース３０の回転位置が係止保持された第２の回転位置となる。
すなわち、本実施の形態では、電池収容ケース３０が第１の回転位置から第２の角度回転された第２の回転位置に回転された状態で、電池収容ケース３０に係脱可能に係合するクリック機構が、第２分割体３４の第２係合凹部３４０８に係脱するロック爪２０の係止凸部２０１０によって構成されている。
第２の回転位置では、電池収容ケース３０は、下部材１８の底壁１８１０と２つの側壁１８１１によって第１分割体３２の本体壁３２０２、両側壁３２０２Ａ、第２分割体３４の両側壁３４０２Ａが保持され、かつ、ロック爪２０の本体壁２００２の下面が第２分割体３４の本体壁３４０２を押圧することによって、第１分割体３２の係合部３２３０と第２分割体３４の係合部３４２０の係合が保持されている。
したがって、第１の回転位置から第２の回転位置においては、第１分割体３２と第２分割体３４を合わせる方向に案内するガイド部が、下部材１８の底壁１８１０と、２つの側壁１８１１と、ロック爪２０の本体壁２００２の下面とによって構成されている。
【００３３】
また、第２の回転位置では、第１分割体３２の係合部３２３０と第２分割体３４の係合部３４２０が係合した状態で、ロック爪２０の係合凸部２０１０が第１分割体３２の第１係合凹部３２２４に係合し、かつ、第１分割体３２の第１係合部３２２０が第１ガイド溝１８１４の後側の縁部１８１４Ａに当接するため、電池収容ケース３０はハウジング１０に対して前後方向に対して固定された状態を保つ。
すなわち、本実施の形態では、第２の回転位置で電池収容ケース３０に係脱可能に係合することで電池収容ケース３０のハウジング１０内への没入を阻止するロック機構が、第１分割体３２の第１係合部３２２０と下部材１８の第１ガイド溝１８１４の後側の縁部１８１４Ａによって構成されている。
また、第２の回転位置では、第１分割体３２の第１係合部３２２０が第１ガイド溝１８１４の延在方向の端部１８１４Ｂ（図８、図９参照）に当接することでそれ以上の回転が阻止されている。
すなわち、本実施の形態では、電池収容ケース３０に係止してそれ以上の回転を阻止する第２の回転阻止機構が、第１分割体３２の第１係合部３２２０と下部材１８の第１ガイド溝１８１４の延在方向の端部１８１４Ｂによって構成されている。
したがって、第２の回転位置においても第１の回転位置と同様に、電池収容ケース３０に対して前方あるいは後方に向かう力を加えても、電池収容ケース３０およびコネクタ５０がハウジング１０に対して前後方向に移動不能となるため、コネクタ５０の外部装置のコネクタに対する挿脱作業を確実に行うことができる。
なお、このようにコネクタ５０の外部装置のコネクタに対する挿脱作業を行える箇所を、互いに位相の異なる第１、第２の回転位置の２箇所としたのは、挿脱時に、ハウジング１０を９０度回転させることで、外部装置に対してハウジング１０を邪魔にならない姿勢に変更できるようにしたものである。
【００３４】
なお、第２の回転位置にある電池収容ケース３０を収納位置に戻す際には、ほぼ上述と逆の手順で、電池収容ケース３０を第１の回転位置に回転し、次いで、突出位置に回転し、その状態で電池ケース３０を後方に押し込むことで収納位置とすればよい。
【００３５】
次に、電池収容ケース３０から電池２を取り出す場合の動作について図２０乃至図２４を参照して説明する。
まず、前述した手順により、電池収容ケース３０を図２０に示す収納位置から図２１に示す第２の回転位置とする。
この第２の回転位置では、前述したように、第１分割体３２の係合部３２３０と第２分割体３４の係合部３４２０が係合した状態で、ロック爪２０の係合凸部２０１０が第１分割体３２の第１係合凹部３２２４に係合している。
したがって、電池収容ケース３０の前方への移動は阻止されている。
【００３６】
ここで、図２２に示すように、ロック爪２０の操作片２００４に指を掛けて付勢手段２２の付勢力に抗してロック爪２０をその支軸２００８（図１０参照）の回転中心２００８Ａを中心にして上方に揺動させる。
すると、ロック爪２０の本体壁２００２の後端２０２０によって第２分割体３４の本体壁３４０２の後部３４２０が下方に押圧されることで、第２分割体３４の前端が上方に浮き上がり、第１分割体３２の係合部３２３０と第２分割体３４の係合部３４２０の係合が解除される。
具体的には、第１分割体３２の後縁部３２３７に対する第２分割体３４の後縁部３４１５の係合が解除され、第１分割体３２が第２分割体３４に対して独立して前方に移動可能な状態となる。
この際、ロック爪２０の係合凸部２０１０の第１分割体３２の第１係合凹部３２２４への係合は維持されているため、第２分割体３４の前方への移動は依然として阻止されている。
この状態で、電池収容ケース３０の第１分割体３２の前部を把持して前方に引き出すと、第１分割体３２は第２分割体３４とは独立して前方へ移動される。具体的には、第１分割体３２は、第１係合凸部３２２０が下部材１８の第１ガイド溝１８１４から第２ガイド溝１８１８内に進入し第２ガイド溝１８１８に沿って回転不能な状態で前方に案内される。
この際、電池２はその後端が第１分割体３２の後壁３２０６にコイルばね３２１２を介して係止されているため、第１分割体３２と一体的に前方に移動する。
したがって、ロック爪２０によって前方への移動が阻止された第２分割体３４に対して、第１分割体３２および電池２が一体的に前方に移動することになる。
【００３７】
そして、第１分割体３２の前方への移動に伴って、第１分割体３２の傾斜部３２３６が第２分割体３４の傾斜部３４１４に当接した状態で前方に移動するため、第２分割体３４はその前端がさらに上方に移動される。
この際、第２分割体３４は２つの電池保持片３４１８で電池２を保持しているため、電池２は第２分割体３４とともに上方に移動しつつ第２分割体３４に対して前方にスライドする。これにより、電池２の前部は第２分割体３４の前端から前方にスライドして突出する。
図２３に示すように、第１分割体３２がさらに前方へ移動されると、第１分割体３２の第１係合凸部３２２０がストッパ壁１８２０に当接するとともに、第１分割体３２の第２係合凸部３２２２が下部材１８の後端面１８１２に当接することで、第１分割体３２のそれ以上の前方への移動が阻止される。
この状態で、電池２の前部は第１分割体３２の前部の上方で第２分割体３４の前端から前方に突出されている。
これにより、電池収容ケース３０は、ハウジング１０から突出し電池収容ケース３０に対して電池２の装脱を可能とする電池装脱位置となる。
したがって、図２４に示すように、突出されている電池２の前部を容易に把持して第２分割体３４から取り外すことができる。
なお、本実施の形態では、第２の回転位置において第２分割体３４を電池収容ケース３０の長手方向と直交する方向で第１分割体３２から離れる方向へ移動させる移動機構が、ロック爪２０で構成されている。
【００３８】
また、電池２を電池収容ケース３０に収容する際には、ほぼ上述と逆の手順で、図２３に示すように、電池収容ケース３０を電池装脱位置として電池２の電池収容ケース３０への収容を行い、次いで、電池収容ケース３０を電池ケース３０を後方に押し込むことで第２の回転位置に移動させた後、電池収容ケース３０を回転して第１の回転位置を経て突出位置に移動させ、さらに、電池収容ケース３０を後方に押し込んで収納位置に移動させればよい。
【００３９】
本実施の形態によれば、コネクタ５０を電池収容ケース３０の端部に一体的に設けたので、コネクタ５０を電池収容ケース３０と別体に設ける場合に比べ、コネクタ５０が占有するスペースを削減することができ、電子機器１００の小型化を図る上で有利となる。
また、本実施の形態によれば、電池収容ケース３０をハウジング１０内において移動可能に支持し、コネクタ５０を電池収容ケース３０の移動方向における端部に設け、コネクタ５０を電池収容ケース３０の移動によりハウジング１０に対して出没可能に配置したので、コネクタ５０よりも大きな電池収容ケース３０を没入不能に支持することでコネクタ５０をより強固に支持でき、コネクタ５０の装脱操作をより確実に安定して行う上で有利となる。
また、本実施の形態では、電池収容ケース３０がハウジング１０内において移動可能に支持され、コネクタ５０が電池収容ケース３０の移動によりハウジング１０に対して出没可能に配置されているので、コネクタ５０の非使用時にはコネクタ５０をハウジング１０内に収納することで電子機器１００をコンパクト化でき携帯性を確保する上で有利となる。
また、本実施の形態では、電池収容ケース３０をハウジング１０から突出する方向に付勢する付勢手段３６を設け、コネクタ５０がハウジング１０内に収納された状態で電池収容ケース３０に係脱可能で電池収容ケース３０に係合することでコネクタ５０のハウジング１０内への収納状態を保持するロック爪２０をハウジング１０に設けたので、ロック爪２０の電池収容ケース３０に対する係合を解除するという簡単な操作で、コネクタ５０をハウジング１０から突出させることができ、操作性を向上させる上で有利となる。
また、本実施の形態では、コネクタ５０の外部装置のコネクタに対する挿脱作業を行える箇所を、互いに位相の異なる第１、第２の回転位置の２箇所としたので、挿脱時に、ハウジング１０を９０度回転させることで、外部装置に対してハウジング１０を邪魔にならない姿勢に変更でき、装脱操作を確実に行うことができ操作性を向上させる上で有利となる。
また、本実施の形態では、電池収容ケース３０の第１の回転位置および第２の回転位置で電池収容ケース３０に係脱するクリック機構を設けたので、操作性を向上させる上で有利となる。
【００４０】
また、本実施の形態では、ハウジング１０に、収納位置から第２の回転位置まで第１分割体３２と第２分割体３４に係合しそれら第１分割体３２と第２分割体３４を合わせる方向に案内するガイド部を設け、第２の回転位置において第２分割体３４を電池収容ケース３０の長手方向と直交する方向で第１分割体３２から離れる方向へ移動させる移動機構を設け、第１分割体３２を、第２の回転位置において第２分割体３４が第１分割体３２から離されることで電池２の装脱を可能とする電池装脱位置に引き出し可能に設けたので、コネクタ５０の装脱操作を確実に行うことができると同時に電池２の電池収容ケース３０への装脱を容易に行え、操作性を向上させる上で有利となる。
また、本実施の形態では、第１分割体３２の係合部３２３０と第２分割体３４の係合部３４２０は、電池収容ケース３０の長手方向に対して傾斜し第１分割体３２が電池装脱位置に引き出される際に第２分割体３４を電池収容ケース３０の長手方向と直交する方向で第１分割体３２から離れる方向に移動させる傾斜部３２３６、３４１４を含んでいるため、電池２の装脱をより簡単に行うことができ、操作性を向上させる上で有利となる。
【００４１】
なお、本実施の形態では、コネクタ５０の外部装置のコネクタに対する挿脱作業を行える箇所を、互いに位相の異なる第１、第２の回転位置の２箇所とした場合について説明したが、コネクタ５０の外部装置のコネクタに対する挿脱作業を行える箇所を１つの回転位置の箇所としてもよいことは無論である。ただし、本実施の形態のように、互いに位相の異なる第１、第２の回転位置の２箇所とした場合には、外部装置に対するハウジング１０の姿勢を変更できるので、コネクタ５０の外部装置に対する装脱操作を確実に行うことができ操作性を向上させる上でより有利となる。
また、本実施の形態では、電池２が細長形状を呈しこれに対応して電池収容ケース３０も細長形状を呈している場合について説明したが、電池の形状は任意であり、この電池の形状に対応して電池収容ケース３０の形状も変化する。
また、本実施の形態では、コネクタ５０がＵＳＢのインターフェースに対応したものである場合について説明したが、コネクタ５０の形状や仕様はＵＳＢに限定されるものではなく、従来公知の様々なコネクタを採用可能である。
また、本実施の形態では、電子機器１００がメモリプレーヤである場合について説明したが、本発明はこれに限定されるものではなく、電池から供給される電源で動作し記憶部に対するデータの書き込みおよび／または読み出しをコネクタを介して行う従来公知の様々な電子機器に広く適用可能である。
【図面の簡単な説明】
【００４２】
【図１】第１の実施の形態の電子機器１００を前方から見た分解斜視図である。
【図２】第１の実施の形態の電子機器１００を後方から見た分解斜視図である。
【図３】（Ａ）、（Ｂ）は左側面部１２の斜視図である。
【図４】（Ａ）、（Ｂ）は右側面部１４の斜視図である。
【図５】上面部１６および表示部１０６の斜視図である。
【図６】上面部１６および表示部１０６の斜視図である。
【図７】プリント基板１２２、１２４、フレキシブル基板１２６の斜視図である。
【図８】下部材１８の斜視図である。
【図９】下部材１８の斜視図である。
【図１０】（Ａ）、（Ａ）は蓋板２４およびロック爪２０の斜視図である。
【図１１】電池収容ケース３０およびコネクタ５０の斜視図である。
【図１２】電池収容ケース３０およびコネクタ５０の斜視図である。
【図１３】電子機器１００の断面図である。
【図１４】（Ａ）は蓋板２４を開放した状態における図１３のＡ矢視図、（Ｂ）は図１３のＢＢ線断面図である。
【図１５】電子機器１００の制御系を示すブロック図である。
【図１６】コネクタ５０および電池収容ケース３０をハウジング１０から引き出す際の動作説明図である。
【図１７】コネクタ５０および電池収容ケース３０をハウジング１０から引き出す際の動作説明図である。
【図１８】コネクタ５０および電池収容ケース３０をハウジング１０から引き出す際の動作説明図である。
【図１９】コネクタ５０および電池収容ケース３０をハウジング１０から引き出す際の動作説明図である。
【図２０】電池収容ケース３０から電池２を取り出す際の動作説明図である。
【図２１】電池収容ケース３０から電池２を取り出す際の動作説明図である。
【図２２】電池収容ケース３０から電池２を取り出す際の動作説明図である。
【図２３】電池収容ケース３０から電池２を取り出す際の動作説明図である。
【図２４】電池収容ケース３０から電池２を取り出す際の動作説明図である。
【符号の説明】
【００４３】
２……電池、１０……ハウジング、３０……電池収容ケース、５０……コネクタ、１００……電子機器、１０２……メモリ、１１４……コントローラ。
【図１】
2006351427.tif 000003
【図２】
2006351427.tif 000004
【図３】
2006351427.tif 000005
【図４】
2006351427.tif 000006
【図５】
2006351427.tif 000007
【図６】
2006351427.tif 000008
【図７】
2006351427.tif 000009
【図８】
2006351427.tif 000010
【図９】
2006351427.tif 000011
【図１０】
2006351427.tif 000012
【図１１】
2006351427.tif 000013
【図１２】
2006351427.tif 000014
【図１３】
2006351427.tif 000015
【図１４】
2006351427.tif 000016
【図１５】
2006351427.tif 000017
【図１６】
2006351427.tif 000018
【図１７】
2006351427.tif 000019
【図１８】
2006351427.tif 000020
【図１９】
2006351427.tif 000021
【図２０】
2006351427.tif 000022
【図２１】
2006351427.tif 000023
【図２２】
2006351427.tif 000024
【図２３】
2006351427.tif 000025
【図２４】
2006351427.tif 000026